(57)【要約】【課題】駆動源としての電動モータのモータ軸線に対してドリルビット等の先端刃具を取り付けたスピンドルの回転軸線が直交するアングルドリルにおいて、定格電圧３６Ｖの電動モータを駆動源とする場合には、出力電圧３６Ｖのバッテリを電源として取り付ける必要があった。本発明では、出力電圧１８Ｖのバッテリを２個取り付けることにより３６Ｖ仕様のアングルドリルを利用できるようにする。【解決手段】アングルドリル１の後部にバッテリベース３２を設け、このバッテリベース３２にバッテリ３１，３１を取り付けるためのバッテリ取り付け部３０，３０を複数箇所備えた構成とする。【選択図】図１
2014148021.tif 000002
【特許請求の範囲】
【請求項１】
駆動源としての電動モータを内装した工具本体部と、該工具本体部の前部に結合され、先端刃具が装着されるスピンドルをかさ歯車の噛み合いを経て前記電動モータのモータ軸線に直交する軸線回りに回転可能に備えたギヤヘッド部を備えた電動工具であって、
前記工具本体部の後部に、電源としてのバッテリを取り付け可能なバッテリ取り付け部を複数箇所備えた電動工具。
【請求項２】
請求項１記載の電動工具であって、前記バッテリ取り付け部を２箇所備えた電動工具。
【請求項３】
請求項１又は２記載の電動工具であって、前記複数箇所のバッテリ取り付け部に対してそれぞれバッテリをその長手方向を前記スピンドル軸線に沿った上下方向に沿わせた縦向きで取り付け可能な電動工具。
【請求項４】
請求項３記載の電動工具であって、前記複数箇所のバッテリ取り付け部に対してそれぞれバッテリを前記モータ軸線に対して左右横並び状態で取り付け可能な電動工具。
【請求項５】
請求項１〜４の何れか１項に記載した電動工具であって、前記複数箇所のバッテリ取り付け部に対してそれぞれバッテリを前記スピンドル軸線に沿った上下方向にスライドさせて取り付け、取り外し可能な電動工具。
【請求項６】
請求項１〜５の何れか１項に記載した電動工具であって、前記バッテリ取り付け部に対する取り付け面を相互に対向させて前記複数箇所のバッテリ取り付け部にバッテリを取り付け可能な電動工具。
【発明の詳細な説明】
【技術分野】
【０００１】
本発明は、例えばアングルドリルと称される穴明け作業用の電動ドリル等の手持ち式の電動工具に関する。
【背景技術】
【０００２】
アングルドリルと称される電動工具は、使用者のグリップ部を兼ねた円筒形状のモータハウジングに駆動源としての電動モータを内装した工具本体部と、工具本体部の前部に、かさ歯車（ベベルギヤ）の噛み合いによりモータ軸線に直交（交差）する軸線回りにスピンドルを回転可能に支持したギヤヘッド部を備え、スピンドルの先端に設けたチャックを介してドリルビット等の先端刃具を取り付けた手持ち工具で、上下に狭小なスペース内に進入させて穴明け作業やねじ締め作業を行う場合を想定してスピンドル軸線方向の高さ寸法がコンパクトに構成されている。係るアングルドリルに関する技術が下記の特許文献に開示されている。
近年、ねじ締め機等の他の電動工具と同様、アングルドリルについてもコードレス化が図られており、充電可能なバッテリを電源として利用できるものが提供されている。バッテリには、駆動源として工具本体部に内装した電動モータの定格電圧に適合した出力電圧のものが用いられている。このため、例えば電動モータの定格電圧が３６Ｖであれば、その電源としては出力電圧が３６Ｖのバッテリが取り付けられる。
【先行技術文献】
【特許文献】
【０００３】
【特許文献１】特開２００４−３４１９７号公報
【発明の概要】
【発明が解決しようとする課題】
【０００４】
しかしながら、３６Ｖバッテリは対応機種が比較的少なく高価であることもあって普及度は低いのが現状である。これに対して、１８Ｖバッテリは対応機種が多いこともあり、また使用者は予備バッテリ等として複数個を所有しているため、３６Ｖバッテリよりも広く普及しているのが現状である。
本発明は、例えば１８Ｖバッテリを電源として取り付けて３６Ｖ仕様のアングルドリルを利用できるようにすることで、バッテリコストを低減しつつ当該電動工具の使い勝手を高めることを目的とする。
【課題を解決するための手段】
【０００５】
上記した課題は、以下の各発明によって解決される。
第１の発明は、駆動源としての電動モータを内装した工具本体部と、工具本体部の前部に結合され、先端刃具が装着されるスピンドルをかさ歯車の噛み合いを経て電動モータのモータ軸線に直交する軸線回りに回転可能に備えたギヤヘッド部を備えた電動工具であって、工具本体部の後部に、電源としてのバッテリを取り付け可能なバッテリ取り付け部を複数箇所備えた電動工具である。
第１の発明によれば、複数箇所のバッテリ取り付け部に取り付けた複数個のバッテリの合計電圧を定格電圧とする電動モータを駆動させて電動工具を利用することができる。例えば、出力電圧が１８Ｖのバッテリ（１８Ｖバッテリ）を２個取り付けて、定格電圧が３Ｖの電動モータを駆動源とする３６Ｖ仕様の電動工具を駆動させることができる。
使用者が予備バッテリ等として複数個所有している１８Ｖバッテリを流用して、専用の３６Ｖバッテリを用意することなく３６Ｖ仕様の電動工具を利用することができるので、バッテリコストを低減しつつより高出力の電動工具を利用することができ、これにより当該高出力の電動工具の取り扱い性（使い勝手）を高めることができる。
第２の発明は、第１の発明において、バッテリ取り付け部を２箇所備えた電動工具である。
第２の発明によれば、バッテリの出力電圧の２倍の定格電圧の電動モータを駆動源とする高出力仕様の電動工具を利用することができる。
第３の発明は、第２の発明において、第１又は第２の発明において、複数箇所のバッテリ取り付け部に対してそれぞれバッテリをその長手方向をスピンドル軸線に沿った上下方向に沿わせた縦向きで取り付け可能な電動工具である。
第３の発明によれば、複数箇所のバッテリ取り付け部に対してそれぞれバッテリを上下にスライドさせることにより取り付け、取り外しすることができる。また、バッテリがその長手方向を上下にした縦向きで取り付けられることから、バッテリ取り付け状態において当該電動工具の左右幅方向のコンパクト性を確保することができる。
第４の発明は、第３の発明において、複数箇所のバッテリ取り付け部に対してそれぞれバッテリをモータ軸線に対して左右横並び状態で取り付け可能な電動工具である。
第４の発明によれば、バッテリがその長手方向を上下にした縦向きで左右横並び状態に取り付けられることから、上下縦並び状態に比して当該電動工具の上下方向のコンパクト性を確保することができる。
第５の発明は、第１〜第４の何れか一つの発明において、複数箇所のバッテリ取り付け部に対してそれぞれバッテリをスピンドル軸線に沿った上下方向にスライドさせて取り付け、取り外し可能な電動工具である。
第５の発明によれば、各バッテリ取り付け部に対してバッテリを簡単に取り付け、取り外しすることができ、この点で当該電動工具の良好な操作性及び使い勝手を確保することができる。
第６の発明は、第１〜第５の何れか一つの発明において、バッテリ取り付け部に対する取り付け面を相互に対向させて前記複数箇所のバッテリ取り付け部にバッテリを取り付け可能な電動工具である。
第６の発明によれば、複数箇所のバッテリ取り付け部に対して左右又は上下に勝手違いの操作によりバッテリを取り付けることができ、この点でバッテリ取り付け、取り外しの操作性を高めることができる。
【図面の簡単な説明】
【０００６】
【図１】第１実施形態の電動工具の斜視図である。
【図２】第１実施形態の電動工具を図１中矢印(II)方向から見た平面図である。
【図３】第１実施形態の電動工具を図１中矢印(III)方向から見た左側面図である。
【図４】第１実施形態の電動工具の縦断面図であって、図２中(IV)-(IV)線断面矢視図である。
【図５】バッテリ取り付け部の横断面図であって、図１中(V)-(V)線断面矢視図である。
【図６】バッテリ単品の斜視図である。
【図７】バッテリ単品を図６中矢印(VII)方向から見た平面図である。
【図８】バッテリ単品を図６中矢印(VIII)方向から見た後面図である。
【図９】バッテリ取り付け部を図１中矢印(IX)方向から見た後面図である。
【図１０】電源回路のブロック図である。
【図１１】第２実施形態の電動工具の斜視図である。
【図１２】第２実施形態の電動工具を図１１中矢印(XII)方向から見た平面図である。
【図１３】第２実施形態の電動工具を図１１中矢印(XIII)方向から見た右側面図である。
【図１４】第２実施形態の電動工具を図１１中矢印(XIV)方向から見た後面図である。
【図１５】第３実施形態の電動工具の斜視図である。
【図１６】第３実施形態の電動工具を図１５中矢印(XVI)方向から見た平面図である。
【図１７】第３実施形態の電動工具を図１５中矢印(XVII)方向から見た右側面図である。
【図１８】第３実施形態の電動工具を図１５中矢印(XVIII)方向から見た後面図である。
【図１９】第４実施形態の電動工具の斜視図である。
【図２０】第４実施形態の電動工具を図１９中矢印(XX)方向から見た平面図である。
【図２１】第４実施形態の電動工具を図１９中矢印(XXI)方向から見た右側面図である。
【図２２】第４実施形態の電動工具を図１９中矢印(XXII)方向から見た後面図である。
【図２３】第５実施形態の電動工具の斜視図である。
【図２４】第５実施形態の電動工具を図２３中矢印(XXIV)方向から見た平面図である。
【図２５】第５実施形態の電動工具を図２３中矢印(XXV)方向から見た右側面図である。
【図２６】第５実施形態の電動工具を図２３中矢印(XXVI)方向から見た後面図である。
【図２７】第６実施形態の電動工具の斜視図である。
【図２８】第６実施形態の電動工具を図２７中矢印(XXVIII)方向から見た平面図である。
【図２９】第６実施形態の電動工具を図２７中矢印(XXIX)方向から見た右側面図である。
【図３０】第６実施形態の電動工具を図２７中矢印(XXX)方向から見た後面図である。
【図３１】第７実施形態の電動工具の斜視図である。
【図３２】第７実施形態の電動工具を図３１中矢印(XXXII)方向から見た平面図である。
【図３３】第７実施形態の電動工具を図３１中矢印(XXXIII)方向から見た右側面図である。
【図３４】第７実施形態の電動工具を図３１中矢印(XXXIV)方向から見た後面図である。
【図３５】第８実施形態の電動工具の斜視図である。
【図３６】第８実施形態の電動工具を図３５中矢印(XXXVI)方向から見た平面図である。
【図３７】第８実施形態の電動工具を図３５中矢印(XXXVII)方向から見た右側面図である。
【図３８】第８実施形態の電動工具を図３５中矢印(XXXVIII)方向から見た後面図である。
【図３９】第９実施形態の電動工具の斜視図である。本図は、工具本体部に対して脚部を直立位置に位置させた状態を示している。
【図４０】第９実施形態の電動工具の斜視図である。本図は、工具本体部に対して脚部を屈曲位置に位置させた状態を示している。
【図４１】第９実施形態の電動工具の平面図である。本図は、工具本体部に対して脚部を直立位置に位置させた状態を示している。
【図４２】図４１中(XXXXII)-(XXXXII)線断面矢視図であって、脚部の傾動支持部の縦断面図である。
【図４３】第９実施形態の電動工具の側面図である。本図は、工具本体部に対して脚部を直立位置に位置させた状態を示している。
【図４４】第９実施形態の電動工具の縦断面図である。本図は、工具本体部に対して脚部を直立位置に位置させた状態を示している。
【図４５】図４４中(XXXXV)-(XXXXV)線断面矢視図であって、脚部の傾動支持部の横断面図である。
【図４６】図４４中(XXXXVI)-(XXXXVI)線断面矢視図であって、バッテリベースの前面図である。
【発明を実施するための形態】
【０００７】
次に、本発明の第１〜第９実施形態を図１〜図４６に基づいて説明する。以下説明する第１〜第８実施形態では、手持ち式の電動工具１として、スピンドル軸線（出力軸線）がモータ軸線に交差する形態のアングルドリルを例示する。図１〜図４に示すようには第１実施形態の電動工具１は、本体ハウジング１１内に駆動源として定格電圧３６Ｖの電動モータ１２を内装した工具本体部１０と、工具本体部１０の前部に結合したギヤヘッド部２０と、工具本体部１０の後部に設けた２箇所のバッテリ取り付け部３０，３０を備えている。両バッテリ取り付け部３０，３０には、それぞれバッテリ３１が取り付けられている。工具本体部１０の本体ハウジング１１は使用者が把持しやすい太さの円筒形状を有している。これにより、工具本体部１０は使用者が把持するグリップ部として機能する。使用者は、図１〜図４において右側に位置して工具本体部１０を把持する。以下、この明細書で用いる部材や構成等の前後左右方向及び上下方向については使用者を基準として用いる。
図４に示すように電動モータ１２の回転出力は、出力軸１２ａに取り付けた駆動ギヤ１３と中間ギヤ１４の噛み合いを経て駆動軸１５に伝達される。図４中符号１２ｂはカーボンブラシを示している。駆動軸１５の先端には駆動側のかさ歯車２１が一体に設けられている。駆動側のかさ歯車２１は、従動側のかさ歯車２２に噛み合わされている。従動側のかさ歯車２２は、スピンドル２３に固定されている。スピンドル２３は、軸受け２４，２５を介してギヤヘッドハウジング２６に回転自在に支持されている。駆動側のかさ歯車２１と従動側のかさ歯車２２の噛み合いを経てスピンドル２３の回転軸線（スピンドル軸線）は、電動モータ１２の出力軸１２ａの回転軸線（モータ軸線）に対して直交している。スピンドル２３の先端にはドリルビット等の先端刃具（図示省略）を取り付けるためのチャック２７が一体に取り付けられている。チャック２７の下部側はギヤヘッドハウジング２６から下方へ突き出されている。電動モータ１２の起動によりチャック２７を介してスピンドル２３に取り付けた先端刃具がスピンドル軸回りに回転して穴明け作業を行うことができる。アングルドリルと称されるこの電気工具１によれば、先端刃具の先端からギヤヘッド部２０の上面までの高さ寸法Ｈがコンパクトであるので、図示上下方向の高さが狭小なスペースでの穴明け作業を効率よく行うことができる。
【０００８】
本体ハウジング１１の後部には概ね平板形状のバッテリベース３２が一体に設けられている。第１実施形態の場合このバッテリベース３２は主として左右方向に均等に張り出す状態に設けられている。このバッテリベース３２は、以下説明するように２個のバッテリ３１，３１を取り付けるための取り付け台座部としての機能と、工具本体部１０を把持した使用者の手の滑り止め機能を併せ持っている。また、このバッテリベース３２には、主として電動モータ１２の動作制御をするためのコントローラ基板Ｃが内装されている。
このバッテリベース３２の後面に２箇所のバッテリ取り付け部３０，３０が設けられている。バッテリ取り付け部３０，３０の詳細が図９に示されている。左右２箇所のバッテリ取り付け部３０，３０は相互に同一の構成を備えている。このバッテリ取り付け部３０は、左右一対のレール部３０ａ，３０ａを備えている。両レール部３０ａ，３０ａは、上下方向に沿って相互に平行に配置されている。両レール部３０ａ，３０ａ間には、正負の接続端子３０ｂ，３０ｃが配置されている。正負の接続端子３０ｂ，３０ｃも上下に長く相互に平行に設けられている。また、このバッテリ取り付け部３０の上部には、バッテリ３１のロック爪部３１ｅが嵌り込む係合凹部３０ｄが設けられている。
図６〜図８には１個のバッテリ３１が示されている。上記左右２箇所のバッテリ取り付け部３０，３０には、それぞれ同じバッテリ３１が取り付けられる。このバッテリ３１は、長さＸ＞幅Ｙ＞高さＺの概ね直方体形状を有するバッテリケース内に複数本のバッテリセルを内装した出力電圧が１８Ｖのリチウムイオンバッテリで、バッテリ取り付け部３０から取り外して別途用意した充電器で充電することにより繰り返し使用することができる。
この１８Ｖバッテリ３１は、その上面に設けた左右一対のレール受け部３１ａ，３１ａを介してスライドさせることによりバッテリ取り付け部３０に対して取り付け、取り外し可能で、取り付け状態ではその上面をバッテリ取り付け部３０に対して重ね合わせ状態に結合させた状態となるスライド取り付け形式のバッテリとなっている。
【０００９】
図６及び図７に示すようにこの１８Ｖバッテリ３１の上面には、上記した左右一対のレール受け部３１ａ，３１ａと、正負の端子受け部３１ｂ，３１ｃが配置されている。左右一対のレール受け部３１ａ，３１ａは、当該バッテリ３１単体で見ると前後方向（長手方向、取り付け状態では上下方向）に沿って相互に平行に設けられている。両端子受け部３１ｂ，３１ｃは左右のレール受け部３１ａ，３１ａの内側に沿って配置されている。両端子受け部３１ｃ，３１ｃ間であって、当該バッテリ３１の上面ほぼ中央には、充電器に対して接続されるコネクタ３１ｄが設けられている。このコネクタ３１ｄを経て、当該バッテリ３１と充電器との間で、充電時における各種の制御信号が送受信される。
バッテリ３１の上面後部には、ロック爪部３１ｅが設けられている。このロック爪部３１ｅは、バッテリケース内に組み込まれたばねにより上方へ突き出す側に付勢されている。このロック爪部３１ｅがバッテリ取り付け部３０の係合凹部３０ｄ内に弾性的に嵌り込むことにより、当該バッテリ取り付け部３０に対するバッテリ３１の取り付け状態がロックされる。
図７及び図８に示すようにバッテリ３１の後面には、アンロックボタン３１ｆが設けられている。このアンロックボタン３１ｆはロック爪部３１ｅと一体に設けられている。このため、このアンロックボタン３１ｆを指先で押し下げ操作するとロック爪部３１ｅがばね付勢力に抗して下方へ退避する。ロック爪部３１ｅが下方のアンロック位置に退避して係合凹部３０ｄ内から抜き出されることにより、当該バッテリ３１を取り外し方向にスライドさせてバッテリ取り付け部３０から取り外すことができる。
【００１０】
工具本体部１０の下面には、大形のスイッチレバー１６が設けられている。使用者が工具本体部１０を把持した手の指先でこのスイッチレバー１６を引き操作すると、スイッチロッド１７ａが上方へ押し込まれてメインスイッチ１７がオンする。スイッチレバー１６の上側には、電動モータ１２の回転方向を切り換える正逆切り換えレバー１８が配置されている。
メインスイッチ１７がオンすると電源回路４０が通電されて電動モータ１２がオンする。図１０には、電源回路４０が示されている。図１０に示すように左右のバッテリ取り付け部３０，３０に取り付けられた２個のバッテリ３１，３１は、電気的に直列に接続されている。従って、２個の１８Ｖバッテリ３１，３１は、合計出力電圧３６Ｖの電源として電源回路４０に接続される。電源回路４０には、主として電動モータ１２の動作制御を行うためのコントローラ基板Ｃが組み込まれている。このコントローラ基板Ｃには、制御用のマイコン（マイクロプロセッサ）４２とＦＥＴ（スイッチング素子）４３等が搭載されている。
このように駆動源としての定格３６Ｖの電動モータ１２は、出力電圧が１８Ｖである２個のバッテリ３１，３１が直列に接続されて給電される合計電圧３６Ｖの電源により駆動され、従って３６Ｖ仕様の電動工具１が２個の１８Ｖバッテリ３１，３１を電源として利用される。
本体ハウジング１１の下面前部には、下方へ盛り上がる凸部１９が設けられている。この凸部１９には照明具（ＬＥＤ）１９ａが内装されている。この照明具１９は、スイッチレバー１６の引き操作により電動モータ１２を起動させると同時に点灯し、スイッチレバー１６の引き操作を解除して電動モータ１２を停止させると同時に消灯する。この照明具１９ａにより、先端刃具周辺（加工部位）が明るく照らされて暗所における穴明け作業等を効率よく行うことができるようになっている。また、この凸部１９によっても当該電動工具１を作業台上等に置いた際にスイッチレバー１６の不用意なオン操作が防止される。
【００１１】
以下説明する第１〜第８実施形態では、２個のバッテリ３１，３１の取り付け位置、取り付け姿勢（取り付け向き）及び取り付け方向（取り外し方向）について異なっており、工具本体部１０及びギヤヘッド部２０等の電動工具１としての基本的な構成については同様であるので同位の符号を用いてその説明を省略する。また、各図では取り付けたバッテリ３１の前後左右上下のどの面が見えているのかを明確にするために、前面に（Ｆ）、後面に（Ｂ）、左側面に（Ｌ）、右側面に（Ｒ）、上面（取り付け面）に（Ｕ）、下面に（Ｄ）の各符号が付されている。これにより、各図において２個のバッテリ３１，３１の取り付け姿勢（向き）、取り付け、取り外し方向及び配置状態が明確になっている。
［第１実施形態（下縦向き姿勢と下縦向き姿勢、相互に左右で横並び）］
図１〜図５に示すように、第１実施形態において、２個のバッテリ３１，３１は、それぞれ上下方向に長手方向（バッテリ単体で見ると前後方向）を沿わせた縦向きで、相互に左右方向に横並び状態で取り付けられている。両バッテリ３１，３１の取付け方向は、図１，３中白抜き矢印で示すように下向きとなっている。バッテリ３１，３１は、それぞれその前面（Ｆ）を下向きにして左右のレール受け部３１ａ，３１ａにバッテリ取付け部３０のレール部３０ａ，３０ａを進入させつつ下方へスライドさせて当該バッテリ取付け部３０に取付けることができる。バッテリ３１はバッテリ取付け部３０ａに対してスライド下降端に至ると、上記したようにロック爪部３１ｅが係合凹部３０ｄ内に弾性的に嵌り込んで当該取り付け位置がロックされる。
第１実施形態では、両バッテリ３１，３１はその長手方向を上下方向に沿わせた縦向き姿勢で、かつ後面（Ｂ）をそれぞれ上方に向けた向きで取り付けられる。
取り付けたバッテリ３１をバッテリ取り付け部３０から取り外すには、指先でアンロックボタン３１ｆを押し下げ操作してロック爪部３１ｅを係合凹部３０ｄ内から退出させれば、上方へスライド可能となってバッテリ取り付け部３０から取り外すことができる。
【００１２】
［第２実施形態（上縦向き姿勢と上縦向き姿勢、相互に左右に横並び）］
図１１〜図１４には、第２実施形態の電動工具２が示されている。第２実施形態では、２個のバッテリ３１，３１は、その取り付け方向が第１実施形態とは逆になっている。第２実施形態では、バッテリベース３３に設けた２箇所のバッテリ取り付け部３０，３０に対してそれぞれバッテリ３１をその前面（Ｆ）を上向きにして上方へスライドさせることにより取り付けられる。第２実施形態では、２個のバッテリ３１，３１は、その長手方向を上下方向に沿わせた縦向き姿勢で、かつその前面（Ｆ）を上方へ向けた上縦向き姿勢で、相互に左右横並び状態に取り付けられている。このため、第２実施形態では、工具本体部１０の後部にバッテリベース３３が左右側方へ張り出す状態に設けれている。このバッテリベース３３の後面に、２箇所のバッテリ取り付け部３０，３０が第１実施形態（図９に示す向き）とは上下逆向きに配置されている。これにより、２個のバッテリ３１，３１は、図１１，１３，１４に示すようにその取り付け方向は上向きになっており、取り付け状態ではその前面（Ｆ）が上方へ向けられている。この第２実施形態におけるバッテリベース３３内にも、主として電動モータ１２の動作制御を行うためのコントローラ基板Ｃが内装されている。
上記した第１及び第２実施形態によれば、２個のバッテリ３１，３１がその長手方向（長さＸ方向）を上下方向に沿わせて左右に横並び状態（幅Ｙ×２個）に取り付けられる構成であるので、幅Ｙ方向を上下方向に沿わせて左右に横並び状態（長さＸ×２個）に取り付ける構成に比して、当該取り付け状態の左右方向のコンパクト化を図ることができる。また、２個のバッテリ３１，３１を左右横並び状態で取り付ける構成であり、図３及び図１３に示すように上下方向及び長手方向の取り付けスペースについては１個分のスペースで足りることから、上下方向（ドリルビットの軸方向）若しくは後方への狭小なスペースでの穴明け作業を効率よく行うことができる。
【００１３】
［第３実施形態（下縦向き姿勢と上縦向き姿勢、相互に上下に縦並び）］
図１５〜図１８には、第３実施形態の電動工具３が示されている。この第３実施形態の電動工具３では、２個のバッテリ３１，３１はそれぞれの長手方向を上下方向に沿わせた縦向きで、かつ相互に上下に縦並び状態で取り付けられている。第３実施形態では、工具本体部１０の後部に設けたバッテリベース３４が左右方向よりも上下方向に張り出す状態に設けられている。このバッテリベース３４の後面上下に２箇所のバッテリ取り付け部３０，３０が配置されている。上側のバッテリ取り付け部３０のバッテリ取り付け方向は下向き（図９に示す向き）であり、下側のバッテリ取り付け部３０のバッテリ取り付け方向は上向き（図９に示す向きとは上下逆向き）になっている。このため、図中白抜き矢印で示すように上側のバッテリ３１の取り付け方向は下向きであり、下側のバッテリ３１の取り付け方向は上向きになっている。
図示するように上側のバッテリ取り付け部３０に対して一方のバッテリ３１がその前面（Ｆ）を下方へ向けた下縦向き姿勢で取り付けられ、下側のバッテリ取り付け部３０に対して他方のバッテリ３１がその前面（Ｆ）を上方へ向けた上縦向き姿勢で取り付けられており、しかも当該上下２個のバッテリ３１，３１はそれぞれの前面（Ｆ），（Ｆ）を相互に上下で向かい合わせた縦並び状態で取り付けられている。
この第３実施形態におけるバッテリベース３４内にも、主として電動モータ１２の動作制御を行うためのコントローラ基板Ｃが内装されている。
第３実施形態によれば、２個のバッテリ３１，３１がそれぞれその幅Ｙ方向を左右方向にして上下に縦並び状態で取り付けられる構成であり、図１６に示すように左右方向の取り付けスペースについては１個分のスペースで足りることから、左右方向の狭小なスペースでの穴明け作業を効率よく行うことができる。
【００１４】
［第４実施形態（上縦向き姿勢と上縦向き姿勢、相互に上面（Ｕ）向かい合わせ）］
図１９〜図２２には、第４実施形態の電動工具４が示されている。第４実施形態では、２個のバッテリ３１，３１が左右で相互に向かい合う縦向き姿勢で取り付けられている。第４実施形態では、工具本体部１０の後部にバッテリベース３５が後方へ張り出す状態に設けられている。このバッテリベース３５の左右両側部に沿ってバッテリ取り付け部３０，３０が配置されている。両バッテリ取り付け部３０，３０はバッテリ取り付け方向を上向きとする向き（図９に示す向きとは上下逆向き）で配置されており、係合凹部３０ｄ，３０ｄを下側に位置させた向きで配置されている。このため、図中白抜き矢印で示すように両バッテリ取り付け部３０，３０に対するバッテリ３１，３１の取り付け方向は上向きになっている。両バッテリ取り付け部３０，３０に対してバッテリ３１，３１を上方へスライドさせることより当該両バッテリ３１，３１をバッテリ取り付け部３０，３０に対して取り付けることができる。図示するように両バッテリ３１，３１は、その長手方向を上下方向に沿わせた縦向き姿勢で、かつその前面（Ｆ）を上方へ向けた上縦向き姿勢で取り付けられる。
また、左右２個のバッテリ３１，３１は、その上面（Ｕ），（Ｕ）を相互に向かい合わせた縦向き姿勢で取り付けられている。
［第５実施形態（上縦向き姿勢と下縦向き姿勢、相互に上面（Ｕ）向かい合わせ］
図２３〜図２６には、第５実施形態の電動工具５が示されている。この第５実施形態では、２個のバッテリ３１，３１の取り付け方向が相互に逆になっている点で第４実施形態とは異なっている。工具本体部１０の後部にバッテリベース３６が第４実施形態と同じく後方へ張り出す状態に設けられている。このバッテリベース３６の左右両側部に沿ってバッテリ取り付け部３０，３０が配置されている。左右のバッテリ取り付け部３０，３０は相互に上下逆向きに配置されている。このため、図中白抜き矢印で示すように左側のバッテリ３１の取り付け方向は下向きであり、右側のバッテリ３１の取り付け方向は上向きになっている。左側のバッテリ取り付け部３０に取り付けられたバッテリ３１は、その後面（Ｂ）を上方へ向けた下縦向き姿勢で取り付けられている。右側のバッテリ取り付け部３０に取り付けられたバッテリ３１はその前面（Ｆ）を上方へ向けた上縦向き姿勢で取り付けられている。しかも左右２個のバッテリ３１，３１は、その上面（Ｕ），（Ｕ）を相互に向かい合わせた縦向き姿勢で取り付けられている。
第４及び第５実施形態によれば、２個のバッテリ３１，３１をそれぞれその高さＺ方向を左右方向に沿わせて相互に左右向かい合わせ状態に取り付ける構成であるので、上下方向、左右方向及び前後方向の取り付けスペースについてバランスよくコンパクトに取り付けることができる。
【００１５】
［第６実施形態（前横向き姿勢、相互に左右で上面（Ｕ）向かい合わせ）］
図２７〜図３０には、第６実施形態の電動工具６が示されている。第６実施形態では、工具本体部１０の後部に設けたバッテリベース３７の左右両側部にバッテリ取り付け部３０，３０がその取り付け、取り外し方向を当該工具本体部１０の前後方向に沿わせた横向きに配置されている。このため、２個のバッテリ３１，３１は、その長手方向を工具本体部１０の前後方向に沿わせ、かつその前面（Ｆ）を工具本体部１０の前方へ向けた前横向き姿勢で取り付けられている。しかも、２個のバッテリ３１，３１は、その上面（Ｕ）を相互に向かい合わせた横向き姿勢で取り付けられている。
図中白抜き矢印で示すように左右２個のバッテリ３１，３１の取り付け方向は何れも前向きになっている。このため、左右のバッテリ取り付け部３０，３０に取り付けられた２個のバッテリ３１，３１は、何れもその後面（Ｂ）を後方へ向けた状態に取り付けられている。
第６実施形態によれば、２個のバッテリ３１，３１がその長手方向（長さＸ方向）を前後方向に沿わせて相互に左右向かい合わせ状態に取り付けられる構成であり、図２９に示すように上下方向の取り付けスペースとしては１個分の取り付けスペースで足りることから、上下方向の狭小なスペースでの穴明け作業を効率よく行うことができる。
【００１６】
［第７実施形態（前横向き姿勢、相互に上下で上面（Ｕ）向かい合わせ）］
図３１〜図３４には、第７実施形態の電動工具７が示されている。上記第６実施形態では、２個のバッテリ３１，３１がそれぞれ前横向き姿勢で上面（Ｕ），（Ｕ）を相互に向かい合わせた状態で左右に取り付けられる構成であるのに対して、第７実施形態では２個のバッテリ３１，３１が同じく前横向き姿勢で上面（Ｕ），（Ｕ）を相互に向かい合わせた状態に取り付けれるが、この２個のバッテリ３１，３１が上下に取り付けられる点で第６実施形態とは異なっている。
工具本体部１０の後部に設けたバッテリベース３８の上面と下面にそれぞれバッテリ取り付け部３０が配置されている。両バッテリ取り付け部３０，３０は、第６実施形態と同じくバッテリ３１の取り付け方向を前方とする向きに配置されている。従って第７実施形態は、第６実施形態におけるバッテリベース３７をモータ軸線回りに９０°だけ向きを変位させた構成に相当する。
２個のバッテリ３１，３１は、それぞれその長手方向を前後方向に沿わせた姿勢で図中白抜き矢印で示すように前方へスライドさせることにより、バッテリ取り付け部３０に取り付けられる。このため、取り付け状態では、上下のバッテリ３１，３１の後面（Ｂ）が後方へ向けられた状態となる。
第７実施形態によれば、２個のバッテリ３１，３１がその長手方向（長さＸ方向）を前後方向に沿わせて相互に上下向かい合わせ状態に取り付けられる構成であり、図３２に示すように左右幅方向の取り付けスペースとしては１個分のスペースで足りることから、左右幅方向の狭小な作業スペースでの穴明け作業を効率よく行うことができる。
以上説明した第４〜第７実施形態におけるバッテリベース３５〜３８内にも、主として電動モータ１２の動作制御を行うためのコントローラ基板Ｃが内装されている。第４〜第７実施形態におけるバッテリベース３５〜３８の後面には、図３１に示す第７実施形態で例示するように吸気口３８ａ〜３８ａが設けられている。この吸気口３８ａ〜３８ａから外気が導入される。導入された外気は、図中破線の矢印で示すように工具本体部１０側に流れて電動モータ１２の冷却がなされる。コントローラ基板Ｃはこのモータ冷却風の導入経路の途中に配置されており、これによりコントローラ基板Ｃも導入した外気によりを冷却されるようになっている。
【００１７】
［第８実施形態（下縦向き姿勢と上縦向き姿勢、相互に左右で横並び）］
図３５〜図３８には第８実施形態の電動工具８が示されている。第８実施形態は、第１実施形態と第２実施形態の中間の実施形態に相当するもので、２個のバッテリ３１，３１が何れもその長手方向（長さＸ方向）を上下方向に沿わせた縦向き姿勢で左右に横並び状態に取り付けられる構成であるが、その取り付け方向について、第１実施形態では２個とも下向きであり、第２実施形態では２個とも上向きであるのに対して第８実施形態では一方が上向きで、他方が下向きである構成となっている。
第８実施形態では、左右２個のバッテリ３１，３１のうち左側のバッテリ３１が下方に向けてスライドさせることにより取り付けられる下縦向き姿勢に取り付けられ、右側のバッテリ３１が上方に向けてスライドさせることにより取り付けられる上縦向き姿勢に取り付けられる。従って、図中白抜き矢印で示すように左側のバッテリ３１の取り付け方向は下向きであり、右側のバッテリ３１の取り付け方向は上向きになっている。このため、それぞれ取り付けた状態では、左側のバッテリ３１の後面（Ｂ）と、右側のバッテリ３１の前面（Ｆ）が上方へ向けられた状態となる。
工具本体部１０の後部には、第１、第２実施形態と同じくバッテリベース３９が左右両方向に張り出す状態に設けられている。このバッテリベース３９の内部にも、主として電動モータ１２の動作制御を行うためのコントローラ基板Ｃが内装されている。このバッテリベース３９の後面に、２箇所のバッテリ取り付け部３０，３０が左右に横並び状態で配置されている。図示は省略したが左側のバッテリ取り付け部３０はその係合凹部３０ｄを上側にした向き（図９に示す向き）に配置され、右側のバッテリ取り付け部３０は左側とは反対に係合凹部３０ｄを下側にした向きに配置されている。
第８実施形態によれば、第１及び第２実施形態と同じく、２個のバッテリ３１，３１がその長手方向（長さＸ方向）を上下方向に沿わせて左右に横並び状態（幅Ｙ×２個）に取り付けられる構成であるので、幅Ｙ方向を上下方向に沿わせた横向き姿勢で左右に横並び状態（長さＸ×２個）に取り付ける構成に比して、当該取り付け状態の左右方向のコンパクト化を図ることができる。また、第１及び第２実施形態と同じく２個のバッテリ３１，３１を左右横並び状態で取り付ける構成であり、図３７に示すように上下方向及び長手方向の取り付けスペースについては１個分のスペースで足りることから、上下方向（ドリルビットの軸方向）若しくは後方への狭小なスペースでの穴明け作業を効率よく行うことができる。
【００１８】
［第９実施形態］
図３９〜図４６には第９実施形態の電動工具９が示されている。第９実施形態の電動工具９は、工具本体部１０の後部に傾動可能な脚部５０を設け、この脚部５０の後部に２個のバッテリ３１，３１を取り付けるためのバッテリベース３２を設けた点で第１実施形態の電動工具１とは異なっている。工具本体部１０及びギヤヘッド部２０は第１実施形態と同様の構成を備えている。第１実施形態と同じ部材及び構成等については同位の符号を用いてその説明を省略する。
図４１に示すように本体ハウジング１１の後部には、支持凸部５２が後方へ張り出す状態で一体に設けられている。この支持凸部５２を介して脚部５０が傾動可能に連結されている。脚部５０の前部には、相互に平行な二股形状の連結縁部５０ａ，５０ａが一体に設けられている。この連結縁部５０ａ，５０ａ間に支持凸部５２を進入させた状態で、当該支持凸部５２が連結縁部５０ａ，５０ａ間に設けた連結軸部５０ｂを介して相対的に回動可能に結合されることにより、工具本体部１０の後部に脚部５０が上下に傾倒可能に結合されている。結合部の詳細が図４２，４５，４６に示されている。
支持凸部５２の中央には、支持孔５２ｂがその板厚方向（左右方向）に貫通して設けられている。この支持孔５２ｂ内に連結軸部５０ｂが挿通されている。この連結軸部５０ｂは、円筒形状を有しており、その内周側に締め込まれたねじ５３を介して両連結縁部５０ａ，５０ａ間に跨った状態で両端支持されている。
支持凸部５２の左右両側面には、それぞれ２個の鋼球５２ａ，５２ａが保持されている。図４２に示すように左右両側面において、それぞれ２個の鋼球５２ａ，５２ａは、同一円周上で相互に１８０°反対側の位置に保持されている。合計４個の鋼球５２ａ〜５２ａは、当該支持凸部５２の側面からはみ出した状態に保持されている。支持凸部５２の左右両側面には、円環形状の係合板５４がそれぞれ重ね合わせられている。両係合板５４，５４は、その板厚方向に適度な弾性を有する状態で連結縁部５０ａ側に固定されている。
【００１９】
両係合板５４，５４には、それぞれ４つの円形孔（第１〜第４係合孔５４ａ〜５４ｄ）が同一円周上に沿って四等分位置に設けられている。片側４つの係合孔５４ａ〜５４ｄのうち相互に１８０°反対側に位置する２つの係合孔５４ａ，５４ｃ（または、５４ｂ，５４ｄ）内に支持凸部５２側の２つの鋼球５２ａ，５２ａが嵌り込む。係合板５４の弾性により各鋼球５２ａは相対的に係合孔５４ａ〜５４ｄ内に弾性的に嵌り込む方向に付勢されている。
図３９，４１〜４４は、工具本体部１０に対して脚部５０が真っ直ぐに位置する直立位置に保持された状態を示している。脚部５０の工具本体部１０に対する直立位置は、図４２に示すように４つの係合孔５４ａ〜５４ｄのうち、前上側の第１係合孔５４ａと後下側の第３係合孔５４ｃ内にそれぞれ鋼球５２ａが弾性的に嵌り込むことにより保持される。この時、前下側の第２係合孔５４ｂと後上側の第４係合孔５４ｄ内は空になっている。
これに対して図４０に示すように工具本体部１０に対して脚部５０を上方（図示時計回り方向）へ９０°回動させた屈曲位置に折り曲げると、当該脚部５０と一体で両係合板５４，５４が同方向へ９０°だけ回転する。図４２に示す状態から両係合板５４，５４が時計回り方向へ９０°回転することにより、２つの鋼球５２ａ，５２ａが後下側に移動した第２係合孔５４ｂと前上側に移動した第４係合孔５４ｄ内に弾性的に嵌り込む。２つの鋼球５２ａ，５２ａが第２、第４係合孔５４ｂ，５４ｄ内に弾性的に嵌り込むことにより、工具本体部１０に対する脚部５０の屈曲位置が保持される。
このように、第９実施形態の電動工具９は、工具本体部１０の後部に脚部５０を直立位置から屈曲位置に折り曲げ可能に備えている。この脚部５０の後部に、第１実施形態と同じくバッテリベース３２が主として左右側方へ張り出す状態に設けられている。このバッテリベース３２の後面に、図９に示すように２箇所のバッテリ取り付け部３０，３０が左右横並び状態に配置されている。この２箇所のバッテリ取り付け部３０，３０は、図示省略した配線により工具本体部１０側と電気的に接続されている。この２箇所のバッテリ取り付け部３０，３０にそれぞれ１８Ｖバッテリ３１が取り付けられている。両１８Ｖバッテリ３１，３１の取り付け方向は第１実施形態と同様、下向きになっている。取り付けられた両１８Ｖバッテリ３１，３１は、直列に接続されて出力電圧３６Ｖの電源として機能する。
また、図４４に示すように脚部５０の後部には、前記各実施形態と同様電動モータ１２の動作制御を行うためのコントローラ基板Ｃが内装されている。
このように構成した第９実施形態の電動工具９によれば、特に工具本体部１０の後部に直立位置と屈曲位置との間に回動可能に脚部５０を設け、この脚部５０の後部に２個の１８Ｖバッテリ３１，３１を取り付ける構成であるので、脚部５０を屈曲位置に折り曲げておくことにより、当該電動工具９の前後方向（機長方向）の寸法を短くすることができ、これによりその収納スペースをコンパクトにすることができる。
また、脚部５０を屈曲位置に折り曲げて機長方向をコンパクトにした状態で、同方向により狭小なスペース内に当該電動工具９を進入させて穴明け作業を行うことができ、この点で当該電動工具９の使い勝手及び作業性を一層高めることができる。
【００２０】
以上説明した各実施形態によれば、充電可能な１８Ｖバッテリを２個直列に接続して合計出力電圧３６Ｖの電源として利用することができ、これにより定格電圧３６Ｖの電動工具１〜８を利用することができる。このことから、専用かつ効果な出力電圧３６Ｖのバッテリを用意することなく、既に所有している１８Ｖバッテリ３１を流用することにより、高出力の電気工具１〜８を利用することができ、この点でバッテリコストの低減を図りながら当該３６Ｖ出力の電動工具１〜８を利用することができる。
以上説明した実施形態にはさらに変更を加えて実施することができる。例えば、工具本体部１０の把持性を損なわない範囲で、２個のバッテリ３１，３１を当該工具本体部１０の左右両側部やギヤヘッド部２０の左右両側部に取り付け可能な構成とすることもできる。
また、１８Ｖバッテリ３１，３１を２個の取り付ける構成を例示したが、３個以上取り付ける構成とすることができる。さらに、概ね直方体形を有するスライド取り付け形式（上面（Ｕ）の一面のみをバッテリ取り付け部３０側に結合させて取り付ける形式）のリチウムイオンバッテリを例示したが、概ねスティック形を有する差し込み形式（奥部にバッテリ接続端子を配置したバッテリ孔内に差し込んで取り付ける形式）のリチウムイオンバッテリについて同様に適用することができ、またリチウムイオンバッテリに限らず、ニッケルカドミウムバッテリ等その他のバッテリについて同様に適用することができる。
また、２個の１８Ｖバッテリ３１，３１を定格電圧３６Ｖの電動モータ１２の電源とする構成を例示したが、より定電圧のバッテリを複数個直列に接続してその合計個数分の出力電圧を定格電圧とする電動モータを動作させる構成としてもよい。
さらに、電動モータ１２を定格電圧１８Ｖに変更し、２個のバッテリ３１，３１を電気的に並列に接続させることにより、電源としての連続使用可能時間を大幅に長くすることができる。
また、電動工具としてアングルドリルと称される穴明け作業用の電気ドリルを例示したが、ねじ締め作業用のねじ締め機であってねじ締め付け方向の衝撃を付加するインパクト機構を内装したアングルインパクトねじ締め機（インパクトドライバ、インパクトレンチ）についても同様に適用することができる。
【符号の説明】
【００２１】
１…電動工具（第１実施形態）
２…電動工具（第２実施形態）
３…電動工具（第３実施形態）
４…電動工具（第４実施形態）
５…電動工具（第５実施形態）
６…電動工具（第６実施形態）
７…電動工具（第７実施形態）
８…電動工具（第８実施形態）
９…電動工具（第９実施形態）
１０…工具本体部
１１…本体ハウジング
１２…電動モータ（定格電圧３６Ｖ）、１２ａ…出力軸
１３…駆動ギヤ
１４…中間ギヤ
１５…駆動軸
１６…スイッチレバー
１７…メインスイッチ、１７ａ…スイッチロッド
１８…正逆切り換えレバー
１９…凸部、１９ａ…照明具（ＬＥＤ）
２０…ギヤヘッド部
２１…かさ歯車（駆動側）
２２…かさ歯車（従動側）
２３…スピンドル
２４，２５…軸受け
２６…ギヤヘッドハウジング
２７…チャック
３０…バッテリ取り付け部
３０ａ…レール部、３０ｂ…接続端子（正）、３０ｃ…接続端子（負）
３０ｄ…係合凹部
３１…バッテリ（１８Ｖリチウムイオンバッテリ）
３１ａ…レール受け部、３１ｂ…端子受け部（正）、３１ｃ…端子受け部（負）
３１ｄ…コネクタ受け部、３１ｅ…ロック爪部、３１ｆ…アンロックボタン
Ｘ…バッテリの長さ寸法、Ｙ…バッテリの幅寸法、Ｚ…バッテリの高さ寸法
（Ｆ）…前面、（Ｂ）…後面、（Ｌ）…左側面、（Ｒ）…右側面
（Ｕ）…上面（取り付け面）、（Ｄ）…下面
３２…バッテリベース（第１実施形態）
３３…バッテリベース（第２実施形態）
３４…バッテリベース（第３実施形態）
３５…バッテリベース（第４実施形態）
３６…バッテリベース（第５実施形態）
３７…バッテリベース（第６実施形態）
３８…バッテリベース（第７実施形態）、３８ａ…吸気孔
３９…バッテリベース（第８実施形態）
４０…電源回路
Ｃ…コントローラ基板
４２…マイコン（マイクロプロセッサ）
４３…ＦＥＴ回路
５０…脚部、５０ａ…連結縁部、５０ｂ…連結軸部
５２…支持凸部、５２ａ…鋼球、５２ｂ…支持孔
５３…ねじ
５４…係合板、５４ａ〜５４ｄ…第１〜第４係合孔
【図１】
2014148021.tif 000003
【図２】
2014148021.tif 000004
【図３】
2014148021.tif 000005
【図４】
2014148021.tif 000006
【図５】
2014148021.tif 000007
【図６】
2014148021.tif 000008
【図７】
2014148021.tif 000009
【図８】
2014148021.tif 000010
【図９】
2014148021.tif 000011
【図１０】
2014148021.tif 000012
【図１１】
2014148021.tif 000013
【図１２】
2014148021.tif 000014
【図１３】
2014148021.tif 000015
【図１４】
2014148021.tif 000016
【図１５】
2014148021.tif 000017
【図１６】
2014148021.tif 000018
【図１７】
2014148021.tif 000019
【図１８】
2014148021.tif 000020
【図１９】
2014148021.tif 000021
【図２０】
2014148021.tif 000022
【図２１】
2014148021.tif 000023
【図２２】
2014148021.tif 000024
【図２３】
2014148021.tif 000025
【図２４】
2014148021.tif 000026
【図２５】
2014148021.tif 000027
【図２６】
2014148021.tif 000028
【図２７】
2014148021.tif 000029
【図２８】
2014148021.tif 000030
【図２９】
2014148021.tif 000031
【図３０】
2014148021.tif 000032
【図３１】
2014148021.tif 000033
【図３２】
2014148021.tif 000034
【図３３】
2014148021.tif 000035
【図３４】
2014148021.tif 000036
【図３５】
2014148021.tif 000037
【図３６】
2014148021.tif 000038
【図３７】
2014148021.tif 000039
【図３８】
2014148021.tif 000040
【図３９】
2014148021.tif 000041
【図４０】
2014148021.tif 000042
【図４１】
2014148021.tif 000043
【図４２】
2014148021.tif 000044
【図４３】
2014148021.tif 000045
【図４４】
2014148021.tif 000046
【図４５】
2014148021.tif 000047
【図４６】
2014148021.tif 000048